(57)【要約】【課題】【解決手段】一群のタバコ物品と、開放された上端（６）を有するカップ状の外側コンテナ（２）と、外側コンテナ（２）にヒンジで連結され、ヒンジ（８）に沿って外側コンテナ（２）に対して開放された上端（６）が開放される開放位置と閉鎖される閉鎖位置とのそれぞれの間を回転するカップ状の蓋（７）と、外側コンテナ（２）に収容され、一群のタバコ物品を取り囲み、シーリングフラップ（５）によって閉鎖されるタバコ物品取り出し口（４）を有する内側容器（３）と、蓋（７）に永久的にかつ取り外しができないように接着された連結タブ（１６）を含み、その結果蓋（７）を開放及び閉鎖すると同時に開放及び閉鎖される、シーリングフラップ（５）と、を含む、タバコ物品の容器（１）。【選択図】図５
2014514992.tif 000002
【特許請求の範囲】
【請求項１】
一群のタバコ物品と、
開放された上端（６）を有するカップ状の外側コンテナ（２）と、外側コンテナ（２）にヒンジで連結され、ヒンジ（８）に沿って外側コンテナ（２）に対して開放された上端（６）が開放される開放位置と閉鎖される閉鎖位置とのそれぞれの間を回転する、カップ状の蓋（７）と、
外側コンテナ（２）に収容され、一群のタバコ物品を取り囲み、シーリングフラップ（５）によって閉鎖されるタバコ物品取り出し口（４）を有する内側容器（３）と、
永久接着剤（１７ａ）によって蓋（７）に永久的にかつ取り外しができないように接着された連結タブ（１６）を含み、その結果蓋（７）の開放及び閉鎖と同時に開放及び閉鎖される、シーリングフラップ（５）と、
を含み、
蓋（７）に連結タブ（１６）を接着する前に折り曲げられた折り目（１９）によって連結タブ（１６）がシーリングフラップ（５）の残りの部分から離間していることを特徴とする、
タバコ物品の容器（１）。
【請求項２】
折り目（１９）がシーリングフラップ（５）から素材を切断又は除去することによって形成されている、請求項１に記載の容器。
【請求項３】
折り目（１９）が連続的であり、シーリングフラップ（５）の素材に刻み目を付けることによって形成されている、請求項１又は２に記載の容器。
【請求項４】
折り目（１９）が非連続的であり、シーリングフラップ（５）の素材を切り通すことによって形成されている、請求項１又は２に記載の容器。
【請求項５】
折り目（１９）が非連続的であり、シーリングフラップ（５）の素材に刻み目を付けることによって形成されている、請求項１又は２に記載の容器。
【請求項６】
シーリングフラップ（５）の連結タブ（１６）が蓋（７）のフラップ（１８）に接着されている、請求項１から５のいずれか１項に記載の容器。
【請求項７】
シーリングフラップ（５）の連結タブ（１６）の外表面が、永久接着剤（１７ａ）のスポットによって蓋（７）の内表面に接着されている、請求項１から６のいずれか１項に記載の容器。
【請求項８】
シーリングフラップ（５）の連結タブ（１６）が、シーリングフラップ（５）の残りの部分に対して１８０°折れ曲がっており、シーリングフラップ（５）の連結タブ（１６）の内表面が、永久接着剤（１７ａ）のスポットによって蓋（７）の内表面に接着されている、請求項１から６のいずれか１項に記載の容器。
【請求項９】
シーリングフラップ（５）が、内側容器（３）に、非乾燥型で再接着型の接着剤（１７ｂ）によって取り出し口（４）の周りで固定され、シーリングフラップ（５）を内側容器（３）から部分的に取り外すことと、内側容器（３）に再び固定することと、が繰り返し可能であり、
連結タブ（１６）が、再接着型の接着剤（１７ｂ）ではなく永久接着剤（１７ａ）を有する、請求項１から８のいずれか１項に記載の容器。
【請求項１０】
連結タブ（１６）上の永久接着剤（１７ａ）が、折れ目（１９）と隣接し、即ち、折れ目（１９）とギャップなしでまさに境界をなしている、請求項９に記載の容器。
【請求項１１】
折れ目（１９）が、シーリングフラップ（５）上の再接着型の接着剤（１７ｂ）から零以外の距離（Ｄ）だけ離間している、請求項９又は１０に記載の容器。
【請求項１２】
折れ目（１９）とシーリングフラップ（５）上の再接着型の接着剤（１７ｂ）との間の距離（Ｄ）が、少なくとも１ｍｍである、請求項１１に記載の容器。
【発明の詳細な説明】
【技術分野】
【０００１】
本発明は、シーリングフラップを装備した内側容器を有するタバコ物品の容器に関する。
【０００２】
以下では、単に、非限定的な例として、硬質であってヒンジで蓋が連結されたシガレットの容器について言及する。
【背景技術】
【０００３】
硬質であってヒンジで蓋が連結されたシガレットの小箱は、製造が容易であるとともに簡単かつ実用的に使用され、また内部でシガレットを効果的に保護することから、近年、大変広く市場に出回っている。
【０００４】
硬質であってヒンジで蓋が連結されたシガレットの小箱は、ホイルで包まれた一群のシガレットによって輪郭が定められる内側容器と、内側容器を収容する硬質の外側容器とを含む。外側容器は、一群のシガレットを収容し、開放された上端を有するカップ状のコンテナと、このコンテナにヒンジで連結されて、コンテナに対して、開放された上端が開放される開放位置と閉鎖される閉鎖位置とのそれぞれの間を、回転するカップ状の蓋と、を含む。Ｕ字状に折り曲げられたカラーが、通常コンテナの内側に連結され、開放された端部の外側に部分的に突出して蓋の対応する内表面と閉鎖位置で係合している。
【０００５】
ＥＰ２１５５５６８Ａ１に記載されている、硬質であってヒンジで蓋が連結されたシガレットの小箱においては、内側容器は、密封されており、再使用可能なシーリングフラップによって密封されるシガレット取り出し口を有する気密パッキング材料のシートを含む。換言すれば、シーリングフラップは、締結手段（例えば、非乾燥型で再接着型の粘着性のストリップ）を有し、この締結手段によって、シーリングフラップがシガレット取り出し口を閉鎖する位置で繰り返し固定される。小箱を簡単に開閉するために、即ち、外側容器の蓋と内側容器のシーリングフラップとをともに１つの操作で開閉するために、シーリングフラップの一部が蓋に永久的にかつ取り外しできないように接着されており、その結果、蓋の開閉によりシーリングフラップも同時に開閉される。
【発明の概要】
【発明が解決しようとする課題】
【０００６】
しかしながら、特許出願ＥＰ２１５５５６８Ａ１に記載されているような、硬質であってヒンジで蓋が連結されたシガレットの小箱においては、シーリングフラップを蓋に連結する接着剤が、数回の蓋の開閉サイクル後に度々剥がれることがあり、その結果、蓋からシーリングフラップが取り外れることが報告されている。
【０００７】
本発明の目的は、上記欠点を取り除くように設計され、同時に低廉で製造し易い、シーリングフラップを装備した内側容器を有するタバコ物品の容器を提供することにある。
【課題を解決するための手段】
【０００８】
本発明によれば、添付した特許請求の範囲において規定されているような、シーリングフラップを装備した内側容器を有するタバコ物品の容器が提供される。
【０００９】
本発明の非限定的な多くの実施形態を、添付図面を参照して、例として、記載する。
【図面の簡単な説明】
【００１０】
【図１】図１は、本発明に係るシガレットの小箱の閉鎖した構造の斜視図である。
【図２】図２は、本発明に係るシガレットの小箱の閉鎖した構造の斜視図である。
【図３】図３は、図１に示すシガレットの小箱の一部開放した構造の前方斜視図である。
【図４】図４は、図１に示すシガレットの小箱の完全に開放した構造の前方斜視図である。
【図５】図５は、図１に示すシガレットの小箱の頂部を一部開放した構造の横断面図である。
【図６】図６は、図１に示すシガレットの小箱の頂部を完全に開放した構造の横断面図である。
【図７】図７は、図１に示すシガレットの小箱の頂部について、明確にするために一部を取り除いた状態で示す、正面図である。
【図８】図８は、図７の細部である線VIII-VIIIに沿った横断面図である。
【図９】図９は、図１に示すシガレットの小箱の頂部のバリエーションについて、明確にするために一部を取り除いた状態で示す、正面図である。
【図１０】図１０は、図９の細部である線X-Xに沿った横断面図である。
【図１１】図１１は、図１に示すシガレットの小箱の内側容器シーリングフラップの折れ目についての実施形態を示す模式図である。
【図１２】図１２は、図１に示すシガレットの小箱の内側容器シーリングフラップの折れ目についての実施形態を示す模式図である。
【図１３】図１３は、図１に示すシガレットの小箱の外側コンテナを形成するための、半加工品の展開図である。
【図１４】図１４は、図１に示すシガレットの小箱の内側容器を形成するための、気密パッキング材料のシートの展開図である。
【発明を実施するための形態】
【００１１】
図１から図４における符号１は、シガレットの硬質の小箱を全体として示し、この小箱は、カップ状のボール紙製のコンテナ２と、コンテナ２の内側に収容された内側容器３とを含む。内側容器３は、シガレットの平行六面体形状の集合物を取り囲み、その上部及び前部に、再使用可能なシーリングフラップ５によって閉鎖されるシガレット取り出し口４を有する。
【００１２】
外側コンテナ２は開放された上端６と、コンテナ２にヒンジで連結されたカップ状の蓋７とを有し、蓋７は、ヒンジ８に沿って、コンテナ２に対して、開放位置（図３及び図４）と閉鎖位置（図１及び図２）との間（即ち、それぞれ、上端６が開放される位置と閉鎖される位置との間）で回転する。
【００１３】
蓋７が閉鎖されると、外側コンテナ２は直方体の形状であり、この直方体は、上壁９及びこれに平行に向かい合う底壁１０と、２つの平行に向かい合う大側壁１１、１２と、２つの平行に向かい合う小側壁１３と、を有する。より具体的には、一方の大側壁１１は外側コンテナ２の前壁１１を規定し、他方の大側壁１２は外側コンテナ２の後壁１２を規定する。４つの長手方向の縁１４は、小側壁１３と前壁１１及び後壁１２との間を規定し、８つの横手方向の縁１５は、上壁９及び底壁１０と、前壁１１、後壁１２及び小側壁１３との間を規定する。図面に示す実施形態においては、縁１４と縁１５とからなる形状は、全て長方形である。図示しない別の実施形態では、４本の長手方向の縁１４が、曲線状であり、又は傾斜している。
【００１４】
図面に示す実施形態においては、シガレットの小箱はカラーを有さない。図示しない別の実施形態では、シガレットの小箱１はカラーを有し、このカラーは、Ｕ字型に折り曲げられ、外側コンテナ２の内側に固定（通常は接着）され、開放された上端６の幾分外側に突出して、蓋７が閉められた際に蓋７の対応する内表面と係合する。このカラーは、閉鎖位置において蓋７を保持するためのリテーナ（例えば、２つの側方突起）を有することが好ましい。
【００１５】
シーリングフラップ５は、（シガレットの小箱１が開放されるたびに）内側容器３から部分的に取り外れて内側容器３に再度固定することができるように、シーリングフラップ５の裏面に塗布された、非乾燥型で再接着型の接着剤１７ｂによって、取り出し口４全体の周りで、内側容器３に固定されている。図７に示すように、シーリングフラップ５は、永久接着剤１７ａにより、蓋７の内表面に永久的にかつ取り外しができないように接着された連結タブ１６を備える。
【００１６】
図５から図８に示すように、シーリングフラップ５の連結タブ１６は、蓋７の内表面に永久的にかつ取り外しができないように接着されているので、蓋７を開閉すると、シーリングフラップ５も同時に開閉される。図示しない別の実施形態においては、連結タブ１６は、図面に示した連結タブとは別の形状及び／又は別の寸法である。例えば、連結タブ１６は、（図面に示した実施形態のより幅狭の連結タブとは対照的に）シーリングフラップ５の残りの部分と同じ幅とすることができる。
【００１７】
図７及び図８に示すように、シーリングフラップ５の連結タブ１６の外表面を、永久接着剤１７ａ（即ち、乾燥型の再利用不可能な接着剤）によって、蓋７のフラップ１８に接着すると、その結果、蓋７を開放した際に、シーリングフラップ５の連結タブ１６は平坦なままであるとともにシーリングフラップ５の残りの部分から離間したままであり、シーリングフラップ５がＳ字型の屈曲部を形成する。
【００１８】
図９及び図１０に示すように、シーリングフラップ５の連結タブ１６の内表面を、蓋７のフラップ１８に永久接着剤１７ａにより接着すると、その結果、蓋７を開放した際に、シーリングフラップ５の連結タブ１６はシーリングフラップ５の残りの部分に対して１８０°折れ曲がって、シーリングフラップ５がＵ字の屈曲部を形成する。
【００１９】
図８及び図１０に示すように、シーリングフラップ５は、内側容器３の外表面に再接着型の接着剤１７ｂ（即ち、シーリングフラップが繰り返し脱着可能な非乾燥型の接着剤）によって接着されている。なお、シーリングフラップ５の連結タブ１６が永久接着剤１７ａのみを有し、再接着型の接着剤１７ｂを全く有さないことは重要である。
【００２０】
シーリングフラップ５の連結タブ１６を蓋７と永久的に一体とすることにより、シーリングフラップ５を蓋７と同時に持ち上げることができる。蓋７を開放すると、シーリングフラップ５は内側容器３の内側のシガレットに圧力を加えることなく、内側容器３から徐々に離れるように移動する。同様に、蓋７を閉鎖すると、シーリングフラップ５は内側容器３上に徐々に戻るように移動し、内側容器３の外輪郭の周りを正確に包む。
【００２１】
本発明によれば、連結タブ１６は、折り目１９によってシーリングフラップ５の残りの部分と分離されているが、その目的は、シーリングフラップ５を連結タブ１６で折り曲げるために要する力を（ひいては、連結タブ１６で折り曲げた場合の、シーリングフラップ５が元の位置に跳ね返る傾向も）低減することにより、シーリングフラップ５を連結タブ１６でより折り曲げ易くすることにある。折り目１９のおかげで、蓋７と、蓋７に一体のシーリングフラップ５と、を開閉する際には、シーリングフラップ５が連結タブ１６でより簡単に（即ち、より少ない「力」で）折れ曲がり、このため連結タブ１６と蓋７の内表面との間を引き離す力が弱まり（即ち、永久接着剤１７ａへの引っ張り力がより小さくなり）、その結果シーリングフラップ５の連結タブ１６を蓋７の内表面に連結する永久接着剤１７ａへの応力が低減するので、永久接着剤１７ａが機能しなくなって、シーリングフラップ５が蓋７から剥がれる危険性が大きく低減される（或いはそれどころか完全に払拭される）。
【００２２】
折り目１９は、シーリングフラップ５から素材を切断又は除去することにより形成すること、即ち、シーリングフラップ５の素材に「溝」を設けることにより形成することが好ましい。図１１に示す実施形態においては、折り目１９は連続的であり（即ち、連結タブ１６の全長に沿って切れ目なく延在しており）、シーリングフラップ５の素材に、刻み目を付けること（即ち、非貫通型の切り込みを設けること）によって、形成される。図１２に示す実施形態においては、折り目１９は非連続的であり（即ち、独立した複数の部分からなり）、シーリングフラップ５の素材を切り通すことによって形成される。図示しない別の実施形態においては、折り目１９は非連続的であり（即ち、独立した複数の部分からなり）、シーリングフラップ５の素材に刻み目を付けることによって形成される。シーリングフラップ５が多層の素材からなり（即ち、互いに結合された少なくとも２つの重ね合わせられた層を含み）、折り目１９が刻み目を付けることにより形成される場合には、１層又は２層以上の素材が、切り通され、他の層はそのままの状態とすることができる。
【００２３】
折り目１９は、例えば、シーリングフラップ５の素材を機械的に切断するための切削工具や、シーリングフラップ５の素材の一部を除去するためのレーザービーム、を用いて形成することができる。
【００２４】
図８及び図１０に示すように、永久接着剤１７ａだけを有し、最接着型の接着剤１７ｂを全く有さない、シーリングフラップ５の連結タブ１６は、永久接着剤１７ａによって蓋７のフラップ１８に永久的に（即ち、取り外しができないように）接着されており、内側容器３の外表面には全く接着されていない。
【００２５】
図８から図１０に示す好適な実施形態においては、永久接着剤１７ａは、折り目１９と隣接し、即ち、折り目１９とギャップなしで（即ち、折り目１９と永久接着剤１７ａとの間には空間／隙間がない）まさに境界をなしている。これは、重要な発明特定事項であり、この発明特定事項により、蓋７を開放したとき（蓋７の開放が最も臨界的な段階であって、その最中にはシーリングフラップ５が再接着型の接着剤１７ｂから部分的に「剥がれる」ことによって内側容器３から部分的に取り外れることとなり、このため、より大きな力を蓋７から連結タブ１６を介して、故に永久接着剤１７ａを介して、シーリングフラップ５に伝達されなければならないとき）に、永久接着剤１７ａへの応力の低減がもたらされる。永久接着剤１７ａが折り目１９と隣接していると（即ち、これらの間に空間を有しないと）、永久接着剤１７ａに働く、上記の引き離す力は、永久接着剤１７ａに対して垂直に指向されるので、（永久接着剤１７ａが最も耐える）垂直成分のみを有し、（永久接着剤１７ａが最も耐えない）接線成分は有しない。
【００２６】
図８及び図１０に示す好適な実施形態においては、折り目１９は、再接着型の接着剤１７ｂから零以外の距離Ｄだけ離間しており、即ち、折り目１９と再接着型の接着剤１７ｂとは、零以外の幅Ｄ、通常は少なくとも１ｍｍの幅Ｄ、である「はっきりとした」空間（即ち、再接着型の接着剤１７ｂがない空間）だけ離間している。再接着型の接着剤１７ｂがなく、折り目１９に隣接する、このはっきりとした空間の機能は、蓋７を開放したときに、永久接着剤１７ａへの応力を低減することである。即ち、再接着型の接着剤１７ｂがないこのはっきりとした空間のお蔭で、蓋７の初期の開放運動（ヒンジ８の周りにおける蓋７の初めのおよそ４°から１０°の回転）では、内側容器３からシーリングフラップ５が取り外れないため、永久接着剤１７ａに深刻な引き離し力は作用しない。これは、いかなる深刻な引き離し力が永久接着剤１７ａに作用するよりも前に、シーリングフラップ５が折り目１９の周りで「Ｓ字」に折り曲げ始められ、シーリングフラップ５が蓋７のフラップ１８に対して局所的に垂直な位置をとることがきできることを意味する。換言すれば、再接着型の接着剤１７ｂを有さないこのはっきりとした空間のお蔭で、上述のとおり接線方向の引っ張り力よりも垂直な引っ張り力に良好に耐える、永久接着剤１７ａに対して、引っ張り力がまさに完全に垂直である（即ち、接線成分を有さない）場合に、シーリングフラップ５が、深刻な引き離し力永久接着剤１７ａに伝達する（これにより、シーリングフラップ５が再接着型の接着剤１７ｂから部分的に剥れることによって、シーリングフラップ５が部分的に内側容器３から取り外れる）。
【００２７】
図１３に示すように、外側コンテナ２はボール紙からなる平坦で実質的に細長い長方形の半加工品２０を折り曲げることにより形成され、半加工品２０の各部は、以下では、外側コンテナの対応する部分と同一の参照符号に上付き文字を付して示される。
【００２８】
半加工品２０は、２つの長手方向の折り目２１と、多くの横手方向の折り目２２とを有し、これらの折り目２１、２２は、長手方向の折り目２１の間に、前壁１１の頂部を形成するパネル１１´（即ち、蓋７の部分を形成する部分）と、頂壁９を形成するパネル９´と、後壁１２を形成するパネル１２´と、底壁１０を形成するパネル１０´と、前壁１１の底部分を形成するパネル１１´´（即ち、外側コンテナ２の部分を形成する部分）と、を規定する。
【００２９】
パネル１１´、１１´´、１２´は、各パネル１１´、１１´´、１２´の反対側に位置するとともに長手方向の折り目２１によって各パネル１１´、１１´´、１２´から離間する、２つの側方ウィング１３´、１３´´をそれぞれ有する。パネル１１´はフラップ１８を有し、パネル１２´は各側方ウィング１３´、１３´´の反対側の端部に２つの長方形のタブ２３を有する。
【００３０】
小箱１を形成するには、側方ウィング１３´、１３´´をそれぞれ重ねて接着し、外側コンテナ２の小側壁１３を形成し、各タブ２３を関連する側方ウィング１３´、１３´´に対して直角に折り曲げ、関連するパネル９´、１０´の内表面に重ねてこの内表面に接着し、関連する壁９、１０の内側部分を規定する。
【００３１】
図１４に示すように、内側容器３は、充填材料の矩形シート２４を折り曲げることにより形成される。シート２４は、まず切断されて取り出し口４が規定され、次いで再接着型の接着剤１７ｂによって裏面にのり付けされたシーリングフラップ５に取り付けられ、取り出し口４の内側ではシーリングフラップ５にシート２４の内側部分が永久的に接着され、取り出し口４の外側ではシーリングフラップ５にシート２４が取り外し可能に接着される。
【００３２】
上述したシガレットの小箱１は多数の利点を有する。
【００３３】
特に、永久接着剤１７ａが取り外れることに起因して、蓋７からシーリングフラップ５が取り外れる危険性は、折り目１９により実質的に取り除かれる。
【００３４】
折り目１９は、全体的に見えない所に隠されることで、シガレットの小箱１の見た目を決して変えるものではない。
【００３５】
折り目１９は、安価で製造し易いものである。折り目１９は、シーリングフラップ５を充填材料のシート２４に取り付ける前に極めて簡単に形成することができ、シート２４や半加工品２０の折り曲げに決して影響を及ぼすものではない。
【００３６】
多数の利点を考慮すると、上述したシガレットの小箱１の設計は、１カートンのシガレットの製造にも適用することができ、この製造は、一群のシガレットではなく、一群のシガレットの小箱を包含すること以外は、上述した小箱１の製造と実質的に同じである。
【図１】
2014514992.tif 000003
【図２】
2014514992.tif 000004
【図３】
2014514992.tif 000005
【図４】
2014514992.tif 000006
【図５】
2014514992.tif 000007
【図６】
2014514992.tif 000008
【図７】
2014514992.tif 000009
【図８】
2014514992.tif 000010
【図９】
2014514992.tif 000011
【図１０】
2014514992.tif 000012
【図１１】
2014514992.tif 000013
【図１２】
2014514992.tif 000014
【図１３】
2014514992.tif 000015
【図１４】
2014514992.tif 000016
【手続補正書】
【提出日】平成25年10月30日(2013.10.30)
【手続補正１】
【補正対象書類名】特許請求の範囲
【補正対象項目名】全文
【補正方法】変更
【補正の内容】
【特許請求の範囲】
【請求項１】
一群のタバコ物品と、
開放された上端（６）を有するカップ状の外側コンテナ（２）と、外側コンテナ（２）にヒンジで連結され、ヒンジ（８）に沿って外側コンテナ（２）に対して開放された上端（６）が開放される開放位置と閉鎖される閉鎖位置とのそれぞれの間を回転する、カップ状の蓋（７）と、
外側コンテナ（２）に収容され、一群のタバコ物品を取り囲み、シーリングフラップ（５）によって閉鎖されるタバコ物品取り出し口（４）を有する内側容器（３）と、
永久接着剤（１７ａ）によって蓋（７）に永久的にかつ取り外しができないように接着された連結タブ（１６）を含み、その結果蓋（７）の開放及び閉鎖と同時に開放及び閉鎖される、シーリングフラップ（５）と、
を含み、
蓋（７）に連結タブ（１６）を接着する前に折り曲げられ、かつ、シーリングフラップ（５）から素材を切断又は除去することによって形成されている折り目（１９）によって連結タブ（１６）がシーリングフラップ（５）の残りの部分から離間していることを特徴とする、
タバコ物品の容器（１）。
【請求項２】
折り目（１９）が連続的であり、シーリングフラップ（５）の素材に刻み目を付けることによって形成されている、請求項１に記載の容器。
【請求項３】
折り目（１９）が非連続的であり、シーリングフラップ（５）の素材を切り通すことによって形成されている、請求項１に記載の容器。
【請求項４】
折り目（１９）が非連続的であり、シーリングフラップ（５）の素材に刻み目を付けることによって形成されている、請求項１に記載の容器。
【請求項５】
シーリングフラップ（５）の連結タブ（１６）が蓋（７）のフラップ（１８）に接着されている、請求項１から４のいずれか１項に記載の容器。
【請求項６】
シーリングフラップ（５）の連結タブ（１６）の外表面が、永久接着剤（１７ａ）のスポットによって蓋（７）の内表面に接着されている、請求項１から５のいずれか１項に記載の容器。
【請求項７】
シーリングフラップ（５）の連結タブ（１６）が、シーリングフラップ（５）の残りの部分に対して１８０°折れ曲がっており、シーリングフラップ（５）の連結タブ（１６）の内表面が、永久接着剤（１７ａ）のスポットによって蓋（７）の内表面に接着されている、請求項１から５のいずれか１項に記載の容器。
【請求項８】
シーリングフラップ（５）が、内側容器（３）に、非乾燥型で再接着型の接着剤（１７ｂ）によって取り出し口（４）の周りで固定され、シーリングフラップ（５）を内側容器（３）から部分的に取り外すことと、内側容器（３）に再び固定することと、が繰り返し可能であり、
連結タブ（１６）が、再接着型の接着剤（１７ｂ）ではなく永久接着剤（１７ａ）を有する、請求項１から７のいずれか１項に記載の容器。
【請求項９】
連結タブ（１６）上の永久接着剤（１７ａ）が、折れ目（１９）と隣接し、即ち、折れ目（１９）とギャップなしでまさに境界をなしている、請求項８に記載の容器。
【請求項１０】
折れ目（１９）が、シーリングフラップ（５）上の再接着型の接着剤（１７ｂ）から零以外の距離（Ｄ）だけ離間している、請求項８又は９に記載の容器。
【請求項１１】
折れ目（１９）とシーリングフラップ（５）上の再接着型の接着剤（１７ｂ）との間の距離（Ｄ）が、少なくとも１ｍｍである、請求項１０に記載の容器。
【国際調査報告】
2014514992.tif 000017
2014514992.tif 000018
2014514992.tif 000019